(57)【要約】 【課題】  運用効率を向上させることができる紙幣処理機を提供する。【解決手段】  入金口７に投入された紙幣の識別を行う入金識別部２７と、この入金識別部２７により真紙幣と識別された紙幣を金種別に分けて一時貯留する複数の一時貯留部８ａ〜８ｈと、これら一時貯留部８ａ〜８ｈに一時貯留された紙幣を入金確定後にそれぞれ収納する複数の紙幣収納部９ａ〜９ｄと、出金の際に複数の紙幣収納部９ａ〜９ｄから出金された紙幣の識別を行う出金識別部５８とを備えた紙幣処理機１であって、１つの紙幣収納部が、２つ以上の一時貯留部から紙幣を受け入れ可能とされている。【選択図】  図１
2006209596.tif 000002
【特許請求の範囲】
【請求項１】
入金口に投入された紙幣の識別を行う第１の識別部と、
該第１の識別部により真紙幣と識別された紙幣を金種別に分けて一時貯留する複数の一時貯留部と、
これら一時貯留部に一時貯留された紙幣を入金確定後にそれぞれ収納する複数の収納部と、
出金の際に前記複数の収納部から出金された紙幣の識別を行う第２の識別部とを備えた紙幣処理機であって、
１つの前記収納部が、２つ以上の前記一時貯留部から紙幣を受け入れ可能とされていることを特徴とする紙幣処理機。
【請求項２】
前記複数の一時貯留部を平面視で重なるように上下に複数段配置し、
これら複数段の一時貯留部のうち最上段の一時貯留部を除くその他の段の一時貯留部を前記最上段の一時貯留部と平面視で重ならない状態に水平移動可能な水平移動手段と、
最下段の一時貯留部を除くその他の段の一時貯留部を前記最下段の一時貯留部と同じ高さまで鉛直移動させる鉛直移動手段と、
前記最下段の一時貯留部を除く所定の段の一時貯留部の紙幣を収納部に収納する際には、当該所定の段の一時貯留部より下の段の一時貯留部を前記水平移動手段で水平移動させた後に当該所定の段の一時貯留部を前記最下段の一時貯留部と同じ高さに前記鉛直移動手段で鉛直移動させる制御手段とを備えたことを特徴とする請求項１記載の紙幣処理機。
【請求項３】
入金処理時に、前記最下段の一時貯留部から順に紙幣を貯留していくことを特徴とする請求項２記載の紙幣処理機。
【請求項４】
精査処理時に、精査する紙幣を前記最下段の一時貯留部に貯留していくとともに入金処理を開始可能とし、精査処理と並行して入金処理を開始する際には、入金する紙幣を最下段より上方の空いた一時貯留部に貯留していくことを特徴とする請求項２または請求項３に記載の紙幣処理機。
【発明の詳細な説明】
【技術分野】
【０００１】
本発明は、入金された紙幣を金種別に収納する紙幣処理機に関するものである。
【背景技術】
【０００２】
銀行等の出納機の一部として用いられ、バラ紙幣の入金あるいは出金等を行う紙幣処理機として、例えば、投入された紙幣を一枚ずつ分離して機体内に取り込むとともに、この取り込んだ紙幣の真偽および金種等を鑑別し、この鑑別結果に応じて目的の位置まで搬送する入出金ユニットと、該入出金ユニットから送り込まれた紙幣を金種別に一時貯留する一時貯留ユニットと、該一時貯留ユニットに一時貯留される紙幣を金種別に収納するとともにこれを出金用紙幣として繰り出し可能な金種別入出金収納部を有する収納部ユニットとから構成されるものが知られている（例えば、特許文献１参照）。このような紙幣処理機は、銀行等の出納機として使用される為、短い時間で多量の処理を行わなければならない。
【特許文献１】特許第３５１５４００号公報
【発明の開示】
【発明が解決しようとする課題】
【０００３】
ところで、このような紙幣処理機には、自己精査といった機内に存在する紙幣を再確認（金種確認、計数確認等）する機能が設けられており、使用者は定期的にタイマー等による自動もしくは任意でこの機能を使用することになるが、この機能は、機内の紙幣を全て再識別及び再計数する関係上、比較的時間のかかる作業であり、この機能を使用している時には、構造上、入金等他の処理ができない状態になる。また、紙幣処理機は、その構造上、先に入金され一時貯留された紙幣が収納部に収納されるまで次の入金処理を実行できず、２以上の入金処理を並行して行うことができなかった。このように、従来の紙幣処理機は、運用効率向上の観点で、さらに改善の余地があった。
【０００４】
本発明は、このような問題に鑑みてなされたもので、運用効率を向上させることができる紙幣処理機を提供することを目的とする。
【課題を解決するための手段】
【０００５】
上記目的を達成するために、請求項１に係る発明は、入金口に投入された紙幣の識別を行う第１の識別部と、該第１の識別部により真紙幣と識別された紙幣を金種別に分けて一時貯留する複数の一時貯留部と、これら一時貯留部に一時貯留された紙幣を入金確定後にそれぞれ収納する複数の収納部と、出金の際に前記複数の収納部から出金された紙幣の識別を行う第２の識別部とを備えた紙幣処理機であって、１つの前記収納部が、２つ以上の前記一時貯留部から紙幣を受け入れ可能とされていることを特徴とする。
【０００６】
請求項２に係る発明は、請求項１に係る発明において、前記複数の一時貯留部を平面視で重なるように上下に複数段配置し、これら複数段の一時貯留部のうち最上段の一時貯留部を除くその他の段の一時貯留部を前記最上段の一時貯留部と平面視で重ならない状態に水平移動可能な水平移動手段と、最下段の一時貯留部を除くその他の段の一時貯留部を前記最下段の一時貯留部と同じ高さまで鉛直移動させる鉛直移動手段と、前記最下段の一時貯留部を除く所定の段の一時貯留部の紙幣を収納部に収納する際には、当該所定の段の一時貯留部より下の段の一時貯留部を前記水平移動手段で水平移動させた後に当該所定の段の一時貯留部を前記最下段の一時貯留部と同じ高さに前記鉛直移動手段で鉛直移動させる制御手段とを備えたことを特徴とする。
【０００７】
請求項３に係る発明は、請求項２に係る発明において、入金処理時に、前記最下段の一時貯留部から順に紙幣を貯留していくことを特徴とする。
【０００８】
請求項４に係る発明は、請求項２または請求項３に係る発明において、精査処理時に、精査する紙幣を前記最下段の一時貯留部に貯留していくとともに入金処理を開始可能とし、精査処理と並行して入金処理を開始する際には、入金する紙幣を最下段より上方の空いた一時貯留部に貯留していくことを特徴とする。
【発明の効果】
【０００９】
請求項１の発明によれば、１つの収納部が２つ以上の一時貯留部から紙幣を受け入れ可能とされているため、複数の処理を並行して行うことが可能であり、例えば、一の一時貯留部を精査処理用として使用し、他の一時貯留部を入金処理用として使用すれば、精査処理をしながら入金処理を行うことが可能になり、また、一の一時貯留部を先行する入金処理用として使用し、他の一時貯留部を次の入金処理用として使用すれば、先の入金処理の途中で次の入金処理を開始することも可能になる。すなわち、運用効率を向上させることができる。
【００１０】
請求項２の発明によれば、２つ以上の一時貯留部とこれらから紙幣を受け入れ可能な１つの収納部とを同一鉛直線上に配置することが可能になり、スペースの高効率化を図ることができる。
【００１１】
請求項３の発明によれば、最下段の一時貯留部を積極的に使用することで、収納部への紙幣の受け渡し時に一時貯留部の移動を極力減らして、収納に関わる時間を短くすることができる。
【００１２】
請求項４の発明によれば、精査処理のために最下段の一時貯留部を使用することで、精査中の収納部への紙幣の受け渡しを一時貯留部を移動させずにスムースに行うことが可能になるため、さらに効率の良い運用が可能になる。
【発明を実施するための最良の形態】
【００１３】
以下、本発明の一実施形態について図面を参照して以下に説明する。
本実施形態の紙幣処理機１は、バラ紙幣の入金、収納、回収および出金等の紙幣に関する各処理を行うことが可能とされ、銀行等における出納機の一部として他の図示略の硬貨処理機等と組み合わせて用いられるものである。
【００１４】
本実施形態の紙幣処理機１は、図１及び図２に示すように、その外側部分を構成する機体３が略直方体形状をなしており、機体３の左側面５側の上部にはバラ紙幣が投入される入金口７が設けられ、この入金口７に隣り合うようにして、機体３内からリジェクト紙幣が繰り出されるリジェクト口１０が設けられ、機体３の右側面６側の上部には機体３内から出金紙幣が繰り出される出金口１４が設けられている。これら入金口７、リジェクト口１０および出金口１４は、いずれも機体前後方向の位置を合わせており、機体前後方向の略前面１２側に設けられている。
【００１５】
入金口７には、入金口７に投入されたバラ紙幣を、図６に示す制御部７２からの動作指令によって一枚ずつ分離して機体３内に繰り出す紙幣繰出部１６が設けられており、この紙幣繰出部１６には、紙幣繰出部１６から繰り出された紙幣を搬送する入金搬送部１８が接続されている。なお、バラ紙幣は、長手方向を機体３の前後方向に沿わせた姿勢で積層状態で入金口７に投入されるとともに、常にこの姿勢を維持した状態で機体３内で移動し、この姿勢で例えばリジェクト口１０あるいは出金口１４へ繰り出される。
【００１６】
この入金搬送部１８は、紙幣繰出部１６から略水平に沿って右側面６側に延出する右方延出部２０と、この右方延出部２０の末端から下方に延出する下方延出部２２と、下方延出部２２の途中位置から分岐して左側面５側に延出する上段左方延出部２３と、下方延出部２２の末端から左側面５側に延出する下段左方延出部２４とを有する入金搬送路２６を有しており、この入金搬送路２６の右方延出部２０には、入金口７に投入された紙幣の金種、真偽、正損および搬送異常の識別と計数とを行う入金識別部２７（第１の識別部）が設けられている。
【００１７】
右方延出部２０における入金識別部２７よりも右側面６側つまり下流側からは、入金識別部２７により真紙幣かつ正紙幣で正常搬送と識別された紙幣以外のリジェクト紙幣をリジェクト口１０に搬送するリジェクト搬送路２９が分岐している。
【００１８】
さらに、入金搬送部１８は、入金搬送路２６の上段左方延出部２３における機体３の右側面６側から分岐して下方に延出する搬送路３１と、この搬送路３１よりも機体左側面５側の位置から分岐して下方に延出する搬送路３２と、この搬送路３２よりも機体左側面５側の位置から分岐して下方に延出する搬送路３３と、上段左方延出部２３の末端から下方に延出する搬送路３４とを有している。
【００１９】
また、入金搬送部１８は、下段左方延出部２４における機体３の右側面６側から分岐して下方に延出する搬送路３５と、この搬送路３５よりも機体左側面５側の位置から分岐して下方に延出する搬送路３６と、この搬送路３６よりも機体左側面５側の位置から分岐して下方に延出する搬送路３７と、下段左方延出部２４の末端から下方に延出する搬送路３８とを有している。このような入金搬送部１８は、全体にわたって入金口７と機体前後方向の位置を合わせている。
【００２０】
そして、入金搬送部１８のリジェクト搬送路２９を除く各末端位置つまり、搬送路３１〜３８の各末端位置には、入金識別部２７により真紙幣かつ正紙幣で正常搬送と識別された紙幣を金種別に分けて一時貯留させる複数具体的には８つの一時貯留部８ａ，８ｂ，８ｃ，８ｄ，８ｅ，８ｆ，８ｇ，８ｈが接続されている。これら一時貯留部８ａ〜８ｈのうち、上段の一時貯留部８ａ〜８ｄは、互いに上下方向の位置を合わせるとともに互いに機体前後方向の位置を合わせている。また、これら一時貯留部８ａ〜８ｄの下側における一時貯留部８ｅ〜８ｈにおいても、互いに上下方向の位置を合わせるとともに互いに機体前後方向の位置を合わせている。さらに、上段の一時貯留部８ａ〜８ｄと下段の一時貯留部８ｅ〜８ｈとは、上下方向で対応する一時貯留部同士が平面視で重なるように配置されている。具体的に、一時貯留部８ａと一時貯留部８ｅとが、一時貯留部８ｂと一時貯留部８ｆとが、一時貯留部８ｃと一時貯留部８ｇとが、一時貯留部８ｄと一時貯留部８ｈとが、それぞれ平面視で重なるように配置されている。
ここで、これら一時貯留部８ａ〜８ｈは、上下に段状をなし機体前後方向の略前方位置にあるときを基本位置としている。
【００２１】
以上により、一時貯留部８ａ〜８ｈは、上下に複数段設けられるように配置されている。なお、一時貯留部８ａ〜８ｈは、上側から紙幣を受け入れて上下方向に集積させた状態で一時貯留させることになり、このように一時貯留させた紙幣を下方に落下させる。
【００２２】
下段（最下段）の一時貯留部８ｅ〜８ｈは、入金搬送路２６における下方延出部２２のこれら一時貯留部８ｅ〜８ｈと高さが合う部分構成部と、一時貯留部８ｅ〜８ｈに接続される各搬送路３５〜３８とともに一体のユニット３９とされている。このユニット３９は図示略のガイドレールによって機体前後方向に水平移動可能に設けられており、このガイドレールを含む図６に示すスライド機構部（水平移動手段）４０で駆動されて水平移動する。具体的に、図２に示すように、このユニット３９は機体前後方向の前面１２側にあって、下段の一時貯留部８ｅ〜８ｈを基本位置にある上段の一時貯留部８ａ〜８ｄに平面視において重ね合わせる状態となる上記した基本位置と、図３に示すように、機体前後方向の後面１３側にあって、下段の一時貯留部８ｅ〜８ｈを上段の一時貯留部８ａ〜８ｄに平面視で重ね合わせない状態となる後端位置との間で往復移動する。
【００２３】
上段（最上段）の一時貯留部８ａ〜８ｄは、入金搬送路２６における下方延出部２２のこれら一時貯留部８ａ〜８ｄと高さが合う部分構成部と、一時貯留部８ａ〜８ｄに接続される各搬送路３１〜３４とともに一体のユニット４１とされている。このユニット４１は、図示略のガイドレールによって上下に昇降移動可能に設けられており、このガイドレールを含む図６に示すエレベータ機構部（鉛直移動手段）４２で駆動されてガイドレールに沿って昇降する。つまり、図３に示すように、このユニット４１の一時貯留部８ａ〜８ｄは、鉛直方向に移動可能となっている。ここで、ユニット４１は、上記した基本位置と、下段の一時貯留部８ｅ〜８ｈと同高さとなる下限位置との間で昇降する。
上記したスライド機構部４０及びエレベータ機構部４２は、図６に示す制御部７２（制御手段）によって制御される。
【００２４】
以上により、スライド機構部４０が、上段の一時貯留部８ａ〜８ｄ及び下段の一時貯留部８ｅ〜８ｈが平面視で重なる状態から平面視で重ならない状態まで、上段の一時貯留部８ａ〜８ｄを除くその他の段、つまりここでは下段の一時貯留部８ｅ〜８ｈを水平移動させる。また、エレベータ機構部４２が、下段の一時貯留部８ｅ〜８ｈを除くその他の段、つまりここでは上段の一時貯留部８ａ〜８ｄを下段の一時貯留部８ｅ〜８ｈと同じ高さまで鉛直に移動させる。なお、ユニット３９，４１が、基本位置にあるとき、入金搬送部１８は全体にわたって機体前後方向における位置を合わせており、機体前後方向の所定幅（最も長手方向長さが長い紙幣の長さにほぼ等しい長さ）の範囲内に設けられている。
【００２５】
さらに、基本位置にあって上段の各一時貯留部８ａ〜８ｄと平面視で重なる状態で配置される下段の各一時貯留部８ｅ〜８ｈの鉛直下方には、一時貯留部８ａ〜８ｈからの入金紙幣の受け入れを行う紙幣収納部（収納部）９ａ，９ｂ，９ｃ，９ｄが設けられている。
【００２６】
ここで、一時貯留部８ｅの鉛直下方には、一時貯留部８ａ，８ｅに対応する紙幣収納部９ａが、一時貯留部８ｆの鉛直下方には、一時貯留部８ｂ，８ｆに対応する紙幣収納部９ｂが、一時貯留部８ｇの鉛直下方には、一時貯留部８ｃ，８ｇに対応する紙幣収納部９ｃが、一時貯留部８ｈの鉛直下方には、一時貯留部８ｄ，８ｈに対応する紙幣収納部９ｄが、それぞれ対応する一時貯留部と平面視で重なり合うように配置されている。
【００２７】
すべての紙幣収納部９ａ〜９ｄは、機体３内に収納された状態で、上端部の高さ位置が同じとされており、下端部の高さ位置も同じとされている。
【００２８】
なお、各紙幣収納部９ａ〜９ｄは、一時貯留部８ａ〜８ｈのうち直上にあるものから紙幣を受け入れて上下方向に紙幣を集積させた状態で収納することになり、すべての紙幣収納部９ａ〜９ｄの下部それぞれには、このように収納した紙幣を一枚ずつ分離して繰出可能な分離繰出装置４４が設けられている。そして、制御部７２からの指令で分離繰出装置４４を駆動することにより紙幣収納部９ａ〜９ｄ内の紙幣を出金させる。
【００２９】
各分離繰出装置４４には、各分離繰出装置４４から繰り出された紙幣を出金口１４へ搬送する出金搬送部４６が接続されている。この出金搬送部４６は、各紙幣収納部９ａ〜９ｄから繰り出された紙幣を搬送する出金搬送路４８を有しており、この出金搬送路４８は、機体右側面６側に向けて水平に延出する右方延出部５０と、この右方延出部５０の末端から上方に延出して出金口１４に接続される上方延出部５２とを有している。
【００３０】
出金搬送路４８は、紙幣収納部９ａから出金された紙幣を搬送する合流搬送路５３と、紙幣収納部９ｂから出金された紙幣を搬送する合流搬送路５４と、紙幣収納部９ｃから出金された紙幣を搬送する合流搬送路５５と、紙幣収納部９ｄから出金された紙幣を搬送する合流搬送路５６とを有しており、これら各合流搬送路５３〜５６は、右方延出部５０に合流している。さらに、出金搬送路４８の上方延出部５２の途中から分岐して、上記入金搬送路２６の下段左方延出部２４へと接続する分岐路４９を有している。
【００３１】
そして、上方延出部５２の分岐路４９より下方（上流）側には、出金紙幣の金種、真偽、正損等の識別や、斜行、二重送り等の搬送の異常を確認する出金識別部５８（第２の識別部）が設けられている。
【００３２】
また、出金搬送部４６は、出金搬送路４８の上方延出部５２における分岐路４９よりも上方（下流）側から分岐し機体右側に延出してリジェクトボックス６０に接続されるリジェクト搬送路６１を有している。このリジェクト搬送路６１は、出金識別部５８で搬送異常紙幣等の出金不可と識別された出金不可紙幣をリジェクトボックス６０へと搬送することになり、その結果、出金可能な真券のみが出金口１４へと搬送される。また、自己精査を行う際には、真券は、分岐路４９を介し入金搬送路２６に戻されて一時貯留部８ｅ〜８ｈの金種に応じた各部へと搬送される。
【００３３】
なお、各搬送部１８，４６の各分岐部分には、制御部７２からの指令を受けて作動する図６に示す振分機構（振分手段）７３が設けられており、搬送される紙幣を、入金識別部２７もしくは出金識別部５８の識別結果に基づいて振り分ける。
【００３４】
また、出金搬送部４６は全体にわたって、ユニット３９，４１が基本位置にあるときの入金搬送部１８と、一時貯留部８ａ〜８ｈと、各紙幣収納部９ａ〜９ｄとに、機体前後方向における位置を合わせており、機体前後方向の所定幅（最も長手方向長さが長い紙幣の長さにほぼ等しい長さ）の範囲内に設けられている。
【００３５】
上段の一時貯留部８ａ〜８ｄを含むユニット４１を昇降させる図６に示すエレベータ機構部４２、このユニット４１の基本位置および下限位置をそれぞれ検出するセンサ６４、下段の一時貯留部８ｅ〜８ｈを含むユニット３９を水平移動させるスライド機構部４０、このユニット３９の基本位置および後端位置をそれぞれ検出するセンサ６５が制御部７２に接続されている。さらに、この制御部７２には、各処理の操作がオペレータにより入力される操作部６８、処理のガイドメニュー、処理状態および処理結果等を表示する表示部６７、上記した入金搬送部１８、一時貯留部８ａ〜８ｈ、紙幣収納部９ａ〜９ｄ、出金搬送部４６が接続されている。
【００３６】
ここで、一時貯留部８ａ〜８ｈと紙幣収納部９ａ〜９ｄについてさらに述べる。
本実施形態の紙幣処理機１における一時貯留部８ａ〜８ｈは、上述したように、機体３の上下方向に２段、機体３の左右方向に４列になるように配置されており、全部で８個の一時貯留部８ａ〜８ｈが設けられている。上段に一時貯留部８ａ〜８ｄ、下段に一時貯留部８ｅ〜８ｈが配置されているが、基本的に、直上直下の一時貯留部同士は同一の金種の紙幣を受け入れることになる。例えば、一時貯留部８ａ及び一時貯留部８ｅは千券用、一時貯留部８ｂ及び一時貯留部８ｆは二千券用、一時貯留部８ｃ及び一時貯留部８ｇは五千券用、一時貯留部８ｄ及び一時貯留部８ｈは万券用とする。
【００３７】
一時貯留部８ａ〜８ｈの下部に各々の一時貯留部８ａ〜８ｈに対応して設けられた紙幣収納部９ａ〜９ｄは、入金及び出金可能な金種別の紙幣収納箱体であって、これらは互いに高さ方向の位置を一致させた状態で配置されている。上記したように、直上直下の一時貯留部８ａ〜８ｈは基本的に同一金種の紙幣を受け入れるように設定されており、それらと同一の鉛直線上に配置される紙幣収納部９ａ〜９ｄもまた同一の金種を受け入れるよう設定されている。すなわち、金種別に各一時貯留部８ａ〜８ｈを設定した場合、上記した例に対応するべく紙幣収納部９ａは千券用、紙幣収納部９ｂは二千券用、紙幣収納部９ｃは五千券用、紙幣収納部９ｄは万券用となる。
【００３８】
なお、これら紙幣収納部９ａ〜９ｄは、各々が機体３から着脱不可能な固定式の箱体であっても、機体３から着脱可能なカセット式の箱体であってもよい。固定式あるいは着脱式のいずれにしても紙幣収納部９ａ〜９ｄを含むユニットは、機体３から機体３の前方または側方へと引き出し可能になっており、紙幣のジャム処理時や、カセット式の場合の紙幣収納部９ａ〜９ｄを着脱するときには、図示略の操作キー等によってロックを解除することで、紙幣収納部９ａ〜９ｄを引き出すことが可能になる。
【００３９】
また、上記した紙幣収納部９ａ〜９ｄは、受け入れる紙幣を任意に設定することが可能になっている。出金を行わない紙幣入金機とすることもでき、その場合、千券及び万券の混合や、二千券及び損券等の混合にすることも可能である。
【００４０】
以上に述べた本実施形態の紙幣処理機１は、処理を行わない待機状態においては、上段の一時貯留部８ａ〜８ｄを含むユニット４１及び下段の一時貯留部８ｅ〜８ｈを含むユニット３９が基本位置にある。
【００４１】
このような紙幣処理機１に大量の紙幣を入金する場合、上記のような待機状態で、オペレータにより、入金口７に大量のバラ紙幣が積層状態で投入され、操作部６８から入金開始のための操作入力がなされると、制御部７２は、紙幣繰出部１６で入金口７からバラ紙幣を一枚ずつ分離して繰り出し、入金搬送部１８は、図４の太線で示すルートに沿って、繰り出されたバラ紙幣を所定の場所まで搬送する。繰り出されたバラ紙幣は、搬送の途中で入金識別部２７により識別をされ、その識別結果に基づいて各振分機構７３によって各部に振り分けられる。そして、入金可能紙幣以外のリジェクト紙幣をリジェクト搬送路２９を介してリジェクト口１０に排出させる一方、入金可能紙幣を入金識別部２７の識別結果に基づいて対応する金種の一時貯留部８ａ〜８ｈに一時貯留させる。まずは下段の一時貯留部８ｅ〜８ｈから順に貯留していき、下段の一時貯留部８ｅ〜８ｈが満杯になったところで、上段の一時貯留部８ａ〜８ｄに貯留していく。
【００４２】
そして、入金口７の紙幣がすべてリジェクト口１０あるいは一時貯留部８ａ〜８ｈに至ると、制御部７２は、入金された紙幣の金種別の計数結果等を入金識別部２７の識別結果に基づいて表示部６７に表示させる。この表示を見てオペレータが操作部６８に入金承認の操作を入力すると、制御部７２は、図２及び図４に示すように、下段の一時貯留部８ｅ〜８ｈ内に一時貯留された紙幣を、そのままの基本位置で下方の紙幣収納部９ａ〜９ｄへと受け渡し、次に図３及び図４に示すように、下段の一時貯留部８ｅ〜８ｈをスライド機構部４０によって後端位置に水平移動させた後、エレベータ機構部４２によって上段の一時貯留部８ａ〜８ｄを下端位置に位置させ、一時貯留部８ａ〜８ｄから紙幣を下方の紙幣収納部９ａ〜９ｄへと受け渡す。
【００４３】
このようにして、各一時貯留部８ａ〜８ｈへと金種別に分類したまま、鉛直下方にある紙幣収納部９ａ〜９ｄに紙幣を収納させる。つまり、一時貯留部８ａ及び一時貯留部８ｅの紙幣を紙幣収納部９ａに、一時貯留部８ｂ及び一時貯留部８ｆの紙幣を紙幣収納部９ｂに、一時貯留部８ｃ及び一時貯留部８ｇの紙幣を紙幣収納部９ｃに、一時貯留部８ｄ及び一時貯留部８ｈの紙幣を紙幣収納部９ｄに、それぞれ収納させる。これらの収納が完了すると、上段の一時貯留部８ａ〜８ｄを基本位置まで上昇させた後に、下段の一時貯留部８ｅ〜８ｈを基本位置まで水平移動させて、入金処理を終了する。
【００４４】
また、２人の使用者が続けて入金処理を行う場合、図４に示すように、１人目の使用者の処理紙幣は下段の一時貯留部８ｅ〜８ｈに貯留していき、２人目の使用者の処理紙幣は上段の一時貯留部８ａ〜８ｄに貯留していく。つまり、下段の一時貯留部８ｅ〜８ｈに貯留した１人目の使用者の入金が確定した後、これら下段の一時貯留部８ｅ〜８ｈ内に貯留されている紙幣を下方の各紙幣収納部９ａ〜９ｄへと収納している間に２人目の使用者の入金処理つまり上段の一時貯留部８ａ〜８ｄへの一時貯留が開始可能となり、使用者は、先の入金処理動作の終了を待つことなく続けて入金することができる。そして、１人目の使用者の入金が完了した後で、上記と同様にして上段の一時貯留部８ａ〜８ｄの紙幣を紙幣収納部９ａ〜９ｄに収納する。
【００４５】
なお、大量の紙幣を入金する場合や、２人の使用者が続けて入金処理を行う場合には、最初に入金される紙幣を上下段のどちらの一時貯留部８ａ〜８ｈに貯留してもよく、予めどちらか一方に設定しておくか、その都度切り替え手段によって切り替えられるようにしてもよい。
【００４６】
以上のような入金処理の場合、入金搬送部１８を使用し、出金搬送部４６は使用しないため、出金搬送部４６を使用し、入金搬送部１８を使用しない出金処理を入金処理と並行して実行することができる。
【００４７】
ここで、出金処理は、紙幣収納部９ａ〜９ｄ内の紙幣を分離繰出装置４４で一枚ずつ分離して繰り出し、繰り出された紙幣を出金搬送部４６で出金口１４まで搬送する。途中、出金識別部５８にて、金種、真偽、正損等の識別や、斜行、二重送り等の搬送異常が確認される。そして、この出金識別部５８による識別結果に応じて、偽券や損券、搬送異常紙幣等はリジェクトボックス６０へ搬送され、真券のみが出金口１４へと搬送されてオペレータへと出金されることになる。
【００４８】
また、自己精査処理と入金処理とを並行して行う場合、図５に示すように、精査を行う紙幣は紙幣収納部９ａ〜９ｄから下段の一時貯留部８ｅ〜８ｈに貯留していき、入金口７から入金する紙幣は空いている上段の一時貯留部８ａ〜８ｄに貯留していく。
【００４９】
詳しくは、オペレータの操作もしくはタイマー等で自動的に自己精査開始のための指令が発せられると、制御部７２は、まず、全ての処理動作が行われていないことを確認し、さらに、一時貯留部８ａ〜８ｈ内に紙幣がないことをセンサ６６によって確認する。仮に、他の処理動作が行われている場合には、それらの処理動作が終了するのを待ち、一時貯留部８ａ〜８ｈ内に紙幣が存在する場合には、それらの紙幣を確定させ、それぞれに該当する紙幣収納部９ａ〜９ｄ内に収納する。これらの処理が終了し、一時貯留部８ａ〜８ｈ内に紙幣がないことが確認できた後、各紙幣収納部９ａ〜９ｄ内の紙幣を順次繰り出す。
【００５０】
各分離繰出装置４４によって一枚ずつ分離して繰り出された紙幣収納部９ａ〜９ｄ内の紙幣は、出金搬送路４８に導かれ、図５の太線で示すルートに沿って出金識別部５８へと搬送される。この出金識別部５８にて、金種、真偽、正損等の識別や、斜行、二重送り等の搬送異常が確認される。そして、この出金識別部５８の識別結果に応じて、偽券や損券、搬送異常紙幣等はリジェクトボックス６０へ、真券は下段の一時貯留部８ｅ〜８ｈの該当するいずれかへと搬送される。
【００５１】
ここで例えば、紙幣収納部９ａ内に、既定（千円券）の正常な紙幣が収納されていた場合には、その紙幣は、それに対応する一時貯留部８ｅへと搬送され、また、異金種の正常な紙幣が収納されていた場合には、その紙幣は、それに対応する一時貯留部８ｆ〜８ｈのいずれかへと搬送され、正常でない紙幣、搬送異常の紙幣は、リジェクトボックス６０へと搬送される。
【００５２】
紙幣収納部９ａ内に同一の金種を収納している場合、分離繰出装置４４によって紙幣収納部９ａ内の紙幣が順次繰り出されて一時貯留部８ｅへと搬送されていき、一時貯留部８ｅ内が満杯になると、一旦繰り出しを停止させ、一時貯留部８ｅ内の紙幣を紙幣収納部９ａ内へと移動させる。このとき、紙幣収納部９ａ内の繰り出し前の紙幣と混ざらないように、精査後の紙幣を区分けのためのフラッパ６２上に載置させる。この操作を繰り返し行い、元々紙幣収納部９ａ内にあった紙幣を全て繰り出し終えると、次に紙幣収納部９ｂ内の紙幣の精査を行うために、分離繰出装置４４によって紙幣収納部９ｂ内の紙幣を順次一時貯留部８ｆへと繰り出し、紙幣収納部９ａ内の紙幣と同様の処理を行っていく。以降、順に紙幣収納部９ｃ内、紙幣収納部９ｄ内の紙幣を処理していき、最後の紙幣がリジェクトボックス６０、もしくは下段の一時貯留部８ｅ〜８ｈの該当するいずれかを介して対応する紙幣収納部９ａ〜９ｄへと運ばれると、制御部７２は、精査結果を表示部６７に表示し、記憶装置の在高を新たなものに書き換えるとともにフラッパ６２上の紙幣を落下させて精査処理を終了させる。
【００５３】
この精査処理中において、オペレータにより入金させる紙幣が入金口７にセットされ、操作部６８に入金処理のための入力がなされると、制御部７２は、精査処理と並行して入金処理を開始させる。すなわち、入金口７より、紙幣を一枚ずつ分離して繰り出しを行う。そして、繰り出された紙幣は入金搬送部１８により入金搬送路２６上を搬送され、途中、入金識別部２７で識別が行われ、その識別結果に応じて振り分けがなされる。つまり、偽券や損券、搬送異常紙幣等は、リジェクト搬送路２９を通ってリジェクト口１０へ、真券は入金搬送路２６を通って金種毎に上段の一時貯留部８ａ〜８ｄのいずれかへと搬送される。そして同時に、制御部７２の記憶装置に識別・計数結果が記憶される。入金口７に投入された全ての紙幣が機体３内に取り込まれてリジェクト口１０もしくは上段の一時貯留部８ａ〜８ｄのいずれかへと搬送されると、制御部７２は表示部６７に入金識別部２７の識別結果を表示させ、オペレータにその後の処理動作を促す。すなわち、入金を確定するか、入金をキャンセルするか、もしくは、追加入金するかの選択をオペレータに促す。
【００５４】
このとき、オペレータが操作部６８より追加入金を指示すると、制御部７２は入金口７に追加投入された紙幣を確認し、再度入金処理を繰り返す。この際、先の入金処理の計数結果に追加しながらの識別・計数となる。
【００５５】
または、オペレータが操作部６８より入金のキャンセルを指示すると、制御部７２は、内部に紙幣が貯留されている上段の一時貯留部８ａ〜８ｄの引き出しロックを解除し、対応する一時貯留部８ａ〜８ｄを引き出し可能な状態にする。そして、オペレータが該当する一時貯留部を引き出すことで、内部に一時貯留された紙幣の回収を行う。このとき、制御部７２は、記憶装置に記憶された識別・計数結果をリセットさせる。
【００５６】
あるいは、オペレータが操作部６８より入金の確定を指示すると、本来ならば制御部７２は、一時貯留部８ａ〜８ｄに一時貯留されている紙幣を、紙幣収納部９ａ〜９ｄ内に収納するための収納動作を開始させるのであるが、この場合は、精査処理が優先して行われるので、精査処理が終了するのを待つことになる。精査処理が終わり次第、一時貯留部８ａ〜８ｄの紙幣の紙幣収納部９ａ〜９ｄ内への上記と同様の収納動作を開始させ、一時貯留部８ａ〜８ｄ内の紙幣が紙幣収納部９ａ〜９ｄ内へ収納されたところで、入金処理が終了する。同時に、記憶装置の在高も新たなものに書き換えられる。
【００５７】
このような紙幣処理機１によれば、１つの紙幣収納部９ａが２つの一時貯留部８ａ，８ｅから、１つの紙幣収納部９ｂが２つの一時貯留部８ｂ，８ｆから、１つの紙幣収納部９ｃが２つの一時貯留部８ｃ，８ｇから、１つの紙幣収納部９ｄが２つの一時貯留部８ｄ，８ｈから、それぞれ紙幣を受け入れ可能とされているため、複数の処理を並行して行うことが可能であり、下段の一時貯留部８ｅ〜８ｈを精査処理用として使用し、上段の一時貯留部８ａ〜８ｄを入金処理用として使用することで、精査処理をしながら入金処理を行うことが可能になり、また、下段の一時貯留部８ｅ〜８ｈを先行する入金処理用として使用し、上段の一時貯留部８ａ〜８ｄを次の入金処理用として使用することで、先の入金処理の途中で次の入金処理を開始することも可能になる。すなわち、運用効率を向上させることができる。
【００５８】
また、下段の一時貯留部８ｅ〜８ｈが水平移動可能であり、上段の一時貯留部８ａ〜８ｄが鉛直移動可能であるため、複数の一時貯留部８ａ，８ｅとこれらの紙幣を収納させる紙幣収納部９ａとを同一鉛直線上に配置することが可能になり、同様に一時貯留部８ｂ，８ｆと紙幣収納部９ｂとを同一鉛直線上に配置することが可能になり、同様に一時貯留部８ｃ，８ｇと紙幣収納部９ｃとを同一鉛直線上に配置することが可能になり、同様に一時貯留部８ｄ，８ｈと紙幣収納部９ｄとを同一鉛直線上に配置することが可能になって、スペースの高効率化を図ることができる。
【００５９】
入金処理の際、下段の一時貯留部８ｅ〜８ｈを積極的に使用することで、紙幣収納部９ａ〜９ｄへの紙幣の受け渡し時に一時貯留部８ａ〜８ｈの移動を極力減らして、収納に関わる時間を短くすることができる。さらに、先の入金処理を実行中であっても、後の入金を上段の一時貯留部８ａ〜８ｄ内へと貯留させることができるので、上記したように、２つの入金処理を行うことができる。また、一時貯留部８ａ〜８ｈの積層段数を増加すれば、２以上の入金処理を行うことが可能になる。また、同時に出金処理の実行も可能である。
【００６０】
精査処理時には、下段の一時貯留部８ｅ〜８ｈを使用することで、精査中の紙幣収納部９ａ〜９ｄへの紙幣の受け渡しを一時貯留部８ｅ〜８ｈを移動させずにスムースに行うことが可能になるため、さらに効率の良い運用が可能になる。また、精査処理中であっても、上段の一時貯留部８ａ〜８ｄに入金紙幣を貯留することができるので、上記したように、精査処理と並行して入金処理を行うことができる。
【００６１】
なお、上記では１つの紙幣収納部に対して２つの一時貯留部を設けたが、これに限られることなく、１つの紙幣に対して３つ以上の一時貯留部を設けてもよい。この場合も、最下段の一時貯留部を除く所定の段の一時貯留部の紙幣を紙幣収納部へと収納する際には、所定の段の一時貯留部より下の段の一時貯留部をスライド機構部４０で水平移動させた後に、所定の段の一時貯留部を最下段の一時貯留部と同じ高さにエレベータ機構部４２で鉛直移動させることになる。
【００６２】
なお、上記では、下段の一時貯留部８ｅ〜８ｈと、入金搬送路２６における下方延出部２２の一時貯留部８ｅ〜８ｈと高さが合う部分構成部と、一時貯留部８ｅ〜８ｈに接続される各搬送路３５〜３８とを一体のユニット３９とし、また、上段の一時貯留部８ａ〜８ｄと、入金搬送路２６における下方延出部２２の一時貯留部８ａ〜８ｄと高さが合う部分構成部と、一時貯留部８ａ〜８ｄに接続される各搬送路３１〜３４とを一体のユニット４１として、水平移動及び昇降移動を段毎に一体で行うようにしているが、それぞれの一時貯留部８ａ〜８ｈを、全て独立して水平移動及び昇降移動可能に構成しても良い。
また、待機時に、関連するすべての一時貯留部８ａ〜８ｈ、紙幣収納部９ａ〜９ｄを同一鉛直線上に並ぶように配置したが、配置に関してはこれに限定する必要はなく、前後左右の水平移動・上下の鉛直移動を取り入れることで、スペースの関係等を考慮した様々な配置にすることも可能である。
さらに、各一時貯留部８ａ〜８ｈ及び紙幣収納部９ａ〜９ｄにおける収納すべき金種の設定は、上記に限ったものではなく、利用目的に合わせて適宜設定することができる。
【図面の簡単な説明】
【００６３】
【図１】本発明における一実施形態の紙幣処理機を示す内部正面図である。
【図２】本発明における一実施形態の紙幣処理機を示す内部側面図である。
【図３】本発明における一実施形態の紙幣処理機を示す内部側面図である。
【図４】本発明における一実施形態の紙幣処理機の処理経路を太線で示す内部正面図である。
【図５】本発明における一実施形態の紙幣処理機の処理経路を太線で示す内部正面図である。
【図６】本発明における一実施形態の紙幣処理機の制御系を概略的に示すブロック図である。
【符号の説明】
【００６４】
１  紙幣処理機
７  入金口
８ａ，８ｂ，８ｃ，８ｄ，８ｅ，８ｆ，８ｇ，８ｈ  一時貯留部
９ａ，９ｂ，９ｃ，９ｄ  紙幣収納部（収納部）
２７  入金識別部（第１の識別部）
５８  出金識別部（第２の識別部）
４０  スライド機構部（水平移動手段）
４２  エレベータ機構部（鉛直移動手段）
７２  制御部（制御手段）
【図１】
2006209596.tif 000003
【図２】
2006209596.tif 000004
【図３】
2006209596.tif 000005
【図４】
2006209596.tif 000006
【図５】
2006209596.tif 000007
【図６】
2006209596.tif 000008